(57)【要約】【課題】外気環境に応じて確実に使用電力を削減することができる食品店舗機器の制御装置及び食品店舗機器の制御方法を提供する。【解決手段】食品店舗機器の制御装置３は、現在の季節及び時刻に応じて、食品店舗内の複数の電気機器２による使用電力の目標値を決定する目標値決定部３ｂと、現在の季節及び時刻に応じて、各電気機器２による使用電力が目標値を超えないように、各電気機器２から制御対象の電気機器２を選択し、選択した制御対象の電気機器２に対する制御内容を決定する制御決定部３ｄと、その制御決定部３ｄにより決定された制御内容に応じて、制御決定部３ｄにより選択された制御対象の電気機器２を制御する制御実行部３ｅとを備える。【選択図】図１
2014093848.tif 000002
【特許請求の範囲】
【請求項１】
現在の季節及び時刻に応じて、食品店舗内の複数の電気機器による使用電力の目標値を決定する目標値決定部と、
前記現在の季節及び時刻に応じて、前記複数の電気機器による使用電力が前記目標値を超えないように、前記複数の電気機器から制御対象の電気機器を選択し、選択した前記制御対象の電気機器に対する制御内容を決定する制御決定部と、
前記制御決定部により決定された前記制御内容に応じて、前記制御決定部により選択された前記制御対象の電気機器を制御する制御実行部と、
を備えることを特徴とする食品店舗機器の制御装置。
【請求項２】
前記食品店舗の外気温度に応じて、前記現在の季節を修正する季節修正部をさらに備え、
前記目標値決定部は、前記現在の時刻に加え、前記季節修正部により修正された前記現在の季節に応じて、前記目標値を決定することを特徴とする請求項１に記載の食品店舗機器の制御装置。
【請求項３】
前記制御決定部は、季節及び時間帯ごとに前記制御対象の電気機器及びその制御内容を示す制御決定情報を記憶し、記憶した前記制御決定情報に基づき、前記現在の季節及び時刻に応じて、前記複数の電気機器から制御対象の電気機器を選択し、選択した前記制御対象の電気機器に対する制御内容を決定することを特徴とする請求項１又は請求項２に記載の食品店舗機器の制御装置。
【請求項４】
操作者により入力操作される入力部をさらに備え、
前記制御決定部は、前記入力部に対する操作者の入力操作に応じて、前記制御決定情報における前記制御対象の電気機器又は前記制御内容を変更することを特徴とする請求項３に記載の食品店舗機器の制御装置。
【請求項５】
現在の季節及び時刻に応じて、食品店舗内の複数の電気機器による使用電力の目標値を決定するステップと、
前記現在の季節及び時刻に応じて、前記複数の電気機器による使用電力が前記目標値を超えないように、前記複数の電気機器から制御対象の電気機器を選択し、選択した前記制御対象の電気機器に対する制御内容を決定するステップと、
決定した前記制御内容に応じて、選択した前記制御対象の電気機器を制御するステップと、
を有することを特徴とする食品店舗機器の制御方法。
【請求項６】
前記食品店舗の外気温度に応じて、前記現在の季節を修正するステップをさらに有し、
前記目標値を決定するステップでは、前記現在の時刻に加え、修正した前記現在の季節に応じて、前記目標値を決定することを特徴とする請求項５に記載の食品店舗機器の制御方法。
【請求項７】
前記制御内容を決定するステップでは、季節及び時間帯ごとに前記制御対象の電気機器及びその制御内容を示す制御決定情報を記憶し、記憶した前記制御決定情報に基づき、前記現在の季節及び時刻に応じて、前記複数の電気機器から制御対象の電気機器を選択し、選択した前記制御対象の電気機器に対する制御内容を決定することを特徴とする請求項５又は請求項６に記載の食品店舗機器の制御方法。
【請求項８】
入力部に対する操作者の入力操作に応じて、前記制御決定情報における前記制御対象の電気機器又は前記制御内容を変更するステップをさらに有することを特徴とする請求項７に記載の食品店舗機器の制御方法。
【発明の詳細な説明】
【技術分野】
【０００１】
本発明は、食品店舗機器の制御装置及び食品店舗機器の制御方法に関する。
【背景技術】
【０００２】
スーパーマーケットやコンビニエンスストアなどの食品店舗には、各種の電気機器（食品店舗機器）が複数台設置されている。この電気機器としては、例えば、冷蔵食品や生鮮食品などの食品を陳列するショーケースや冷蔵庫用の冷凍機、食品店舗内の空調を行う空調機、さらに、ショーケースのケース照明や売場照明、バックヤード照明などが挙げられる。
【０００３】
前述のような食品店舗には、各電気機器による使用電力（デマンド値）の目標値（デマンド目標値）を超えないように使用電力を監視するデマンド監視装置が設置されることがある（例えば、特許文献１及び特許文献２参照）。このデマンド監視装置は、デマンド値が例えば契約電力値を超えないように負荷となる各電気機器（負荷機器）を制御するデマンド制御を行うものである。なお、デマンド値とは、例えば３０分間などのデマンド時限における平均使用電力である。
【先行技術文献】
【特許文献】
【０００４】
【特許文献１】特開２００５−１８０１８７号公報
【特許文献２】特開２００６−１７４５８２号公報
【発明の概要】
【発明が解決しようとする課題】
【０００５】
しかしながら、前述の技術では、デマンド制御が外気環境（例えば、季節や時刻、外気温度）に追随することが十分にできず、さらに、その外気環境が変化しても制御対象の電気機器は変わらずに同じであるため、使用電力を確実に削減することは困難である。
【０００６】
例えば、開店時間帯と閉店時間帯とでデマンド目標値を変えても制御対象の電気機器が同じある場合には、閉店時間帯よりも開店時間帯に大きな電力を消費する電気機器（例えば、外気温度や昼夜で消費電力が大きく変わるショーケースなど）を閉店時間帯に入り切り（オン／オフ）しても、使用電力の削減効果は小さく、使用電力を確実に削減することは難しい。
【０００７】
本発明は上記を鑑みてなされたものであり、その目的は、外気環境に応じて確実に使用電力を削減することができる食品店舗機器の制御装置及び食品店舗機器の制御方法を提供することである。
【課題を解決するための手段】
【０００８】
本発明に係る食品店舗機器の制御装置は、現在の季節及び時刻に応じて、食品店舗内の複数の電気機器による使用電力の目標値を決定する目標値決定部と、現在の季節及び時刻に応じて、複数の電気機器による使用電力が目標値を超えないように、複数の電気機器から制御対象の電気機器を選択し、選択した制御対象の電気機器に対する制御内容を決定する制御決定部と、制御決定部により決定された制御内容に応じて、制御決定部により選択された制御対象の電気機器を制御する制御実行部とを備える。
【０００９】
また、前述の食品店舗機器の制御装置において、食品店舗の外気温度に応じて、現在の季節を修正する季節修正部をさらに備え、目標値決定部は、現在の時刻に加え、季節修正部により修正された現在の季節に応じて、目標値を決定することが望ましい。
【００１０】
また、前述の食品店舗機器の制御装置において、制御決定部は、季節及び時間帯ごとに制御対象の電気機器及びその制御内容を示す制御決定情報を記憶し、記憶した制御決定情報に基づき、現在の季節及び時刻に応じて、複数の電気機器から制御対象の電気機器を選択し、選択した制御対象の電気機器に対する制御内容を決定することが望ましい。
【００１１】
また、前述の食品店舗機器の制御装置において、操作者により入力操作される入力部をさらに備え、制御決定部は、入力部に対する操作者の入力操作に応じて、制御決定情報における制御対象の電気機器又は制御内容を変更することが望ましい。
【００１２】
本発明に係る食品店舗機器の制御方法は、現在の季節及び時刻に応じて、食品店舗内の複数の電気機器による使用電力の目標値を決定するステップと、現在の季節及び時刻に応じて、複数の電気機器による使用電力が目標値を超えないように、複数の電気機器から制御対象の電気機器を選択し、選択した制御対象の電気機器に対する制御内容を決定するステップと、決定した制御内容に応じて、選択した制御対象の電気機器を制御するステップとを有する。
【００１３】
また、前述の食品店舗機器の制御方法において、食品店舗の外気温度に応じて、現在の季節を修正するステップをさらに有し、目標値を決定するステップでは、現在の時刻に加え、修正した現在の季節に応じて、目標値を決定することが望ましい。
【００１４】
また、前述の食品店舗機器の制御方法において、制御内容を決定するステップでは、季節及び時間帯ごとに制御対象の電気機器及びその制御内容を示す制御決定情報を記憶し、記憶した制御決定情報に基づき、現在の季節及び時刻に応じて、複数の電気機器から制御対象の電気機器を選択し、選択した制御対象の電気機器に対する制御内容を決定することが望ましい。
【００１５】
また、前述の食品店舗機器の制御方法において、入力部に対する操作者の入力操作に応じて、制御決定情報における制御対象の電気機器又は制御内容を変更するステップをさらに有することが望ましい。
【発明の効果】
【００１６】
本発明に係る食品店舗機器の制御装置又は食品店舗機器の制御方法によれば、現在の季節及び時刻に応じて、複数の電気機器による使用電力が目標値を超えないように、複数の電気機器から制御対象の電気機器を選択し、選択した制御対象の電気機器に対する制御内容を決定する。これにより、現在の季節や時刻に応じて制御対象となる電気機器及びその制御内容が適切に決定されるため、外気環境が変化してもその変化に対応することが可能となるので、外気環境に応じて確実に使用電力を削減することができる。
【００１７】
また、食品店舗の外気温度に応じて現在の季節を修正し、現在の時刻に加え、修正した現在の季節に応じて使用電力の目標値を決定する場合には、外気温度に応じて目標値を決定することが可能になるので、外気環境に応じてより確実に使用電力を削減することができる。
【００１８】
また、季節及び時間帯ごとに制御対象の電気機器及びその制御内容を示す制御決定情報に基づき、現在の季節及び時刻に応じて、複数の電気機器から制御対象の電気機器を選択し、選択した制御対象の電気機器に対する制御内容を決定する場合には、現在の季節や時刻に応じて制御対象の電気機器及びその制御内容をより適切に決定することが可能になるので、より確実に使用電力を削減することができる。
【００１９】
また、入力部に対する操作者の入力操作に応じて、前述の制御決定情報における制御対象の電気機器又は制御内容を変更する場合には、操作者は必要に応じて制御対象の電気機器や制御内容を適切に変えることが可能となるので、利用者の利便性を向上させることができ、さらに、より確実に使用電力を削減することができる。
【図面の簡単な説明】
【００２０】
【図１】本発明の実施形態に係る食品店舗システムの概略構成を示す図である。
【図２】本発明の実施形態に係る目標値決定情報を説明するための説明図である。
【図３】本発明の実施形態に係る季節修正情報を説明するための説明図である。
【図４】本発明の実施形態に係る制御決定情報を説明するための説明図である。
【図５】本発明の実施形態に係る使用電力（デマンド値）の目標値（デマンド目標値）の変更を説明するためのグラフである。
【図６】本発明の実施形態に係るデマンド制御処理の流れを示すフローチャートである。
【発明を実施するための形態】
【００２１】
本発明の実施の一形態について図面を参照して説明する。
【００２２】
図１に示すように、本発明の実施の一形態に係る食品店舗システム１は、食品店舗内に設けられた複数の電気機器（食品店舗機器）２と、それらの電気機器２を制御する制御装置（食品店舗機器の制御装置）３とを備えている。
【００２３】
各電気機器２は、制御装置３に電気的に接続されており、信号の送受信が可能に形成されている。これらの電気機器２としては、例えば、第１冷凍機Ａ（５０ｋＷ）、第２冷凍機Ｂ（３０ｋＷ）、第３冷凍機Ｃ（１０ｋＷ）、第１エリアの空調機Ｄ（３０ｋＷ）、第２エリアの空調機Ｅ（１０ｋＷ）、第１エリアのケース照明Ｆ（１０ｋＷ）、第２エリアのケース照明Ｇ（５ｋＷ）、売場照明Ｈ（２０ｋＷ）、バックヤード照明Ｉ（５ｋＷ）、バックヤードの空調機Ｊ（５ｋＷ）、社員食堂の空調機Ｋ（３ｋＷ）がある。なお、図１中の各電気機器２の種類や個数はあくまでも一例である。
【００２４】
ここで、冷凍機は、冷蔵食品や生鮮食品などの食品を陳列するショーケースや冷蔵庫を冷却するための冷凍機である。この冷凍機は圧縮機や凝縮器などを備えており、各ショーケースや冷蔵庫に配管を介して冷媒を供給する。空調機は、食品店舗内のエリアごと、すなわち第１エリア、第２エリア、バックヤード及び社員食堂に設けられている。また、ケース照明は、食品店舗内のエリアごと、すなわち第１エリア及び第２エリアごとのショーケースの照明である。同様に、売場照明は食品店舗内の売場の照明であり、バックヤード照明は食品店舗内のバックヤードの照明である。
【００２５】
制御装置３は、現在の日時から現在の季節及び時間帯を決定する季節時間帯決定部３ａと、使用電力（デマンド値）の目標値（デマンド目標値）を決定する目標値決定部３ｂと、現在の季節を修正する季節修正部３ｃと、制御対象の電気機器２及びその制御内容を決定する制御決定部３ｄと、デマンド制御を実行する制御実行部３ｅと、操作者による入力操作を受け付ける入力部３ｆと、外気温度を検出する外気温度センサ３ｇとを具備している。
【００２６】
季節時間帯決定部３ａは、現在の日付から現在の季節を決定し、さらに、現在の時刻から開店時間帯であるか閉店時間帯であるかを決定し、それらの現在の季節及び開店／閉店時間帯を示す季節時間帯情報を目標値決定部３ｂ、季節修正部３ｃ及び制御決定部３ｄに出力する。なお、季節時間帯決定部３ａは、カレンダーやタイマにより現在の日時や季節などを把握することが可能である。
【００２７】
目標値決定部３ｂは、季節時間帯決定部３ａから出力された季節時間帯情報を用いて、食品店舗内の各電気機器２による使用電力の目標値、すなわちデマンド目標値を決定する。詳しくは、目標値決定部３ｂは、季節及び時間帯ごとにデマンド目標値を示す目標値決定情報を記憶しており、その目標値決定情報に基づき、現在の季節及び時間帯に応じてデマンド目標値を決定する。
【００２８】
目標値決定情報は、図２に示すように、季節及び時間帯ごとにデマンド目標値が設定されている情報である。この目標値決定情報は、例えば、目標値決定部３ｂが有するメモリにより記憶されている。なお、図２中の数値は一例であり、その変更も可能である。
【００２９】
ここで、現在の時刻が開店時間（１０時〜２３時）である場合において、季節が夏期（６／１〜９／１５）であると、デマンド目標値は５００ｋＷであり、季節が中間期（４／１〜５／３１及び９／１６〜１１／３０）であると、デマンド目標値は４００ｋＷであり、季節が冬期（１２／１〜３／３１）であると、デマンド目標値は３００ｋＷである。一方、現在の時刻が閉店時間（２３時〜１０時）である場合において、季節が夏期であると、デマンド目標値は３００ｋＷであり、季節が中間期であると、デマンド目標値は２５０ｋＷであり、季節が冬期であると、デマンド目標値は２００ｋＷである。
【００３０】
季節修正部３ｃは、季節時間帯決定部３ａから出力された季節時間帯情報に加え、外気温度センサ３ｇにより検出された外気温度を用いて、現在の季節を他の季節に修正する。詳しくは、季節修正部３ｃは、季節及び時間帯ごとに修正条件及び修正季節を示す季節修正情報を記憶しており、その季節修正情報に基づき、現在の季節、時間帯及び外気温度に応じて現在の季節を修正する。
【００３１】
季節修正情報は、図３に示すように、季節及び時間帯ごとに修正条件及び修正季節が設定されている情報である。この季節修正情報は、例えば、季節修正部３ｃが有するメモリにより記憶されている。なお、図３中の数値は一例であり、その変更も可能である。
【００３２】
ここで、現在の時刻が開店時間である場合において、季節が夏期であると、外気温度が２５℃以下（修正条件）で季節を夏期から中間期（修正季節）に変更し、季節が中間期であると、修正条件は外気温度が３０℃以上（修正条件）で季節を中間期から夏期（修正季節）にさらに外気温度が１５℃以下で季節を中間期から冬期（修正季節）に変更する。また、季節が冬期であると、修正条件は外気温度が２０℃以上（修正条件）で季節を冬期から中間期（修正季節）に変更する。
【００３３】
一方、現在の時刻が閉店時間である場合において、季節が夏期であると、外気温度が１５℃以下（修正条件）で季節を夏期から中間期（修正季節）に変更し、季節が中間期であると、外気温度が２０℃以上（修正条件）で季節を中間期から夏期（修正季節）にさらに外気温度が１０℃以下で季節を中間期から冬期（修正季節）に変更する。また、季節が冬期であると、外気温度が１５℃以上（修正条件）で季節を冬期から中間期（修正季節）に変更する。
【００３４】
制御決定部３ｄは、季節時間帯決定部３ａから出力された季節時間帯情報を用いて、各電気機器２から制御対象の電気機器２を選択し、選択した制御対象の電気機器２に対する制御内容を決定する。詳しくは、制御決定部３ｄは、季節及び時間帯ごとに制御対象の電気機器２及びその制御内容を示す制御決定情報を記憶し、記憶した制御決定情報に基づき、現在の季節及び時間帯に応じて、複数の電気機器２から制御対象の電気機器２を選択し、選択した制御対象の電気機器２に対する制御内容を決定する。
【００３５】
制御決定情報は、図４に示すように、季節及び時間帯ごとに制御対象の電気機器２及びその制御内容（動作内容）が設定されているデマンド制御対象パターン情報である。この制御決定情報は、例えば、制御決定部３ｄが有するメモリにより記憶されている。なお、図４中の制御対象となる電気機器２やその制御内容は一例であり、その変更も可能である。また、図４中のＡ〜Ｋは、図１中の各電気機器２のＡ〜Ｋを示すものである。
【００３６】
ここで、現在の時刻が開店時間である場合において、季節が夏期であると、制御対象はＡ〜Ｋであり、その制御内容はＡ〜Ｃで設定値変更であり、Ｄ及びＥで間欠運転であり、Ｆ及びＧで完全停止であり、Ｈ及びＩで間引き点灯であり、Ｊ及びＫで完全停止である。また、季節が中間期であると、制御対象はＢ〜Ｇ、Ｊ及びＫであり、その制御内容はＢ及びＣで設定値変更であり、Ｄ〜Ｇ、Ｊ及びＫで完全停止であり、季節が冬期であると、制御対象はＣ〜Ｅであり、その制御内容はＣで設定値変更であり、Ｄ及びＥで間欠運転である。
【００３７】
一方、現在の時刻が閉店時間である場合において、季節が夏期であると、制御対象はＡ〜Ｃであり、その制御内容はＡ〜Ｃで設定値変更である。また、季節が中間期であると、制御対象はＢ及びＣであり、その制御内容はＢ及びＣで間欠運転であり、季節が冬期であると、制御対象はＣであり、その制御内容はＣで間欠運転である。
【００３８】
このような制御決定情報は、各電気機器２による使用電力（デマンド値）がデマンド目標値を超えないように予め設定されている。例えば、制御内容は、店内売場のために完全に停止することが不可能である電気機器２、完全に停止することが可能である電気機器２（例えば、バックヤードの空調機Ｊや社員食堂の空調機Ｋなど）、設定値変更に留めておくべき電気機器２に分けて予め設定されている。また、閉店時間に停止していると予めわかっている電気機器２（例えば、第１エリアの空調機Ｄや第２エリアの空調機Ｅ、第１エリアのケース照明Ｆ、第２エリアのケース照明Ｇなど）については、閉店時間中のデマンド制御の対象から外すことで、無駄な制御指令をしないようにすることが可能である。
【００３９】
制御実行部３ｅは、制御決定部３ｄにより選択された制御対象の電気機器２を制御決定部３ｄにより決定された制御内容に応じて制御する。詳しくは、制御実行部３ｅは、制御決定部３ｄから制御対象の電気機器２及びその制御内容を示す制御実行情報を受け、その制御実行情報に基づいて各電気機器２を制御するデマンド制御を行う。
【００４０】
入力部３ｆは、操作者により入力操作される操作部である。この入力部３ｆとしては、例えば、キーボードやマウス、タッチパネルなどの入力デバイスを用いることが可能である。操作者は入力部３ｆを入力操作し、目標値決定情報（図２参照）、季節修正情報（図３参照）及び制御決定情報（図４参照）の各内容を入力したり、さらに、変更したりすることが可能である。
【００４１】
外気温度センサ３ｇは、食品店舗の外気温度を検出可能に店舗外、例えば店舗の外壁などに設置されており、検出した外気温度を季節修正部３ｃに出力する。これにより、季節修正部３ｃは外気温度を現在季節の修正に用いることが可能となる。
【００４２】
なお、前述の季節時間帯決定部３ａや目標値決定部３ｂ、季節修正部３ｃ、制御決定部３ｄ、制御実行部３ｅなどは、電気回路などのハードウエアで構成されても良く、あるいは、これらの機能を実行するプログラムなどのソフトウエアで構成されても良い。また、ハードウエア及びソフトウエアの両方の組合せにより構成されても良い。
【００４３】
ここで、外気温度（外気環境）によってデマンド目標値を自動的に変えることで、最適なデマンド制御（デマンド値の制御）を行うことが可能となる。なお、デマンド値は、例えば３０分のデマンド時限の使用電力量が計測されて平均された平均使用電力である。また、外気温度は、例えば３０分のデマンド時限に合わせた３０分の平均温度であり、３０分ごとに再計算されて更新されていく。
【００４４】
このデマンド制御では、例えば、図５に示すように、通常、夏期の開店時間中のデマンド目標値（点線の直線ａ）が５００ｋＷである場合には、デマンド値が５００ｋＷのデマンド目標値を超えないため、デマンド制御は実行されない。ところが、夏期の開店時間中であっても外気温度（実線の折れ線ｂ）が２５℃以下である場合には、前述の季節修正部３ｃにより季節が夏期から中間期に修正されるため、デマンド目標値（点線の直線ａ）は自動的に５００ｋＷから４００ｋＷとなる。その後、このデマンド目標値に基づいてデマンド制御が行われることになる。例えば、ショーケースの負荷は外気温度の影響を大きく受けるため、外気温度が低いときには無理せず、例えば、ショーケース用の冷凍機に対して設定値変更や間欠運転などのデマンド制御を行い、デマンド目標値４００ｋＷを達成する。これにより、図５中の塗りつぶし部分（黒い領域ｃ）の使用電力量を削減することが可能となる。
【００４５】
次に、前述の制御装置３が行うデマンド制御処理（制御方法）について図６を参照して説明する。
【００４６】
図６に示すように、目標値決定情報（図２参照）、季節修正情報（図３参照）及び制御決定情報（図４参照）が入力部３ｆに対する操作者の入力操作に応じて設定される（ステップＳ１）。
【００４７】
このとき、操作者は入力部３ｆを入力操作して必要な情報を入力する。例えば、図２に示す目標値決定情報を設定する場合には、操作者は入力部３ｆを入力操作して季節及び時間帯ごとに希望のデマンド目標値を入力していく。この入力に応じて目標値決定情報が目標値決定部３ｂのメモリに設定される。他の情報も同じように入力され、季節修正情報は季節修正部３ｃのメモリに、制御決定情報は制御決定部３ｄのメモリに設定される。
【００４８】
ステップＳ１の処理後、現在の日時から現在の季節及び開店／閉店時間帯が季節時間帯決定部３ａにより決定される（ステップＳ２）。このとき、例えば、現在の日時が７／５、１１時００分である場合には、現在の季節は夏期であり、現在の時間帯は開店時間帯であると決定される。また、現在の日時が９／３０、７時００分である場合には、現在の季節は中間期であり、現在の時間帯は閉店時間帯であると決定される。
【００４９】
ステップＳ２の処理後、現在の外気温度から季節修正を行うか否かが季節修正部３ｃにより判断され（ステップＳ３）、季節修正を行うと判断されると（ステップＳ３のＹＥＳ）、現在の季節が季節修正部３ｃにより修正され（ステップＳ４）、処理はステップＳ５に進む。一方、季節修正を行わないと判断されると（ステップＳ３のＮＯ）、そのまま処理がステップＳ５に進む。
【００５０】
このとき、前述の季節修正情報に基づき、現在の季節、時間帯及び外気温度に応じて、現在の季節を修正するか否かが判断され、修正を行う必要があると判断されると、現在の季節が他の季節に修正される。例えば、図３に示す季節修正情報が用いられた場合には、現在の季節が夏期であり、時間帯が開店時間であり、外気気温が３０℃であるとき、現在の季節を修正する必要が無いと判断される。一方、現在の季節が夏期であり、時間帯が開店時間であり、外気気温が２３℃であるとき、現在の季節を修正する必要が有ると判断され、現在の季節は夏期から中間期に修正される。
【００５１】
その後、現在の季節と開店／閉店時間帯からデマンド目標値が目標値決定部３ｂにより決定される（ステップＳ５）。このとき、前述の目標値決定情報に基づき、現在の季節及び時間帯に応じてデマンド目標値が決定される。例えば、図２に示す目標値決定情報が用いられた場合には、現在の季節が夏期であり、時間帯が開店時間であるとき、目標値は５００ｋＷに決定される。また、現在の季節が中間期であり、時間帯が閉店時間である場合には、目標値は２５０ｋＷに決定される。
【００５２】
前述のステップＳ５の処理後、現在の季節と開店／閉店時間帯からデマンド制御対象負荷及びその制御内容が制御決定部３ｄにより決定される（ステップＳ６）。このとき、前述の制御決定情報に基づき、現在の季節及び時間帯に応じて、複数の電気機器２から制御対象の電気機器２が選択され、その制御対象の電気機器２に対する制御内容が決定される。例えば、図４に示す制御決定情報が用いられた場合には、現在の季節が夏期であり、時間帯が開店時間であるとき、制御対象の電気機器２はＡ〜Ｋ（図１参照）であり、その制御内容はＡ〜Ｃで設定値変更であり、Ｄ及びＥで間欠運転であり、Ｆ及びＧで完全停止であり、Ｈ及びＩで間引き点灯であり、Ｊ及びＫで完全停止であると決定される。また、現在の季節が中間期であり、時間帯が閉店時間である場合には、制御対象の電気機器２はＢ及びＣであり、その制御内容はＢ及びＣで間欠運転であると決定される。
【００５３】
前述のステップＳ６の処理後、決定されたデマンド制御対象負荷に対して前述の制御内容でデマンド制御が制御実行部３ｅにより実行される（ステップＳ７）。このとき、例えば、制御対象の電気機器２がＡ〜Ｃであり、その制御内容が設定値変更である場合には、設定値を変更する命令が第１冷凍機Ａ、第２冷凍機Ｂ及び第３冷凍機Ｃに対して出力される。同様に、制御対象の電気機器２がＤ及びＥであり、その制御内容が間欠運転である場合には、間欠運転を指示する命令が第１エリアの空調機Ｄ及び第２エリアの空調機Ｅに対して出力される。
【００５４】
前述のステップＳ７の処理後、全てのデマンド制御対象負荷に対するデマンド制御が終了したか否かが判断され（ステップＳ８）、そのデマンド制御が終了してないと判断されると（ステップＳ８のＮＯ）、処理がステップＳ６に戻されて繰り返される。一方、デマンド制御が終了していると判断されると（ステップＳ８のＹＥＳ）、目標値決定情報、季節修正情報及び制御決定情報における各設定値の変更要求があるか否かが判断される（ステップＳ９）。なお、操作者は入力部３ｆを入力操作し、設定値の変更要求を入力する。この要求は一度出されると、設置値の変更あるいはその要求の取り消しが行われるまで保持される。
【００５５】
ステップＳ９において、前述の設定値の変更要求が有ると判断されると（ステップＳ９のＹＥＳ）、処理はステップＳ１に戻されて繰り返され、一方、前述の設定値の変更要求が無いと判断されると（ステップＳ９のＮＯ）、処理はステップＳ２に戻されて繰り返される。なお、ステップＳ１では、変更要求を出した操作者が入力部３ｆを入力操作し、設定値を変更することになる。例えば、図２に示す目標値決定情報が用いられている場合には、操作者は入力部３ｆを入力操作して希望のデマンド目標値を変更する。これと同様に、操作者は他の情報でもその内容を変更することが可能である。
【００５６】
このようなデマンド制御処理では、季節と時間帯ごとにデマンド目標値を有し、現在の日時（日付と時刻）に応じてデマンド目標値を決定するが、外気環境（季節や時刻、外気温度など）に応じてデマンド目標値を自動的に修正することが可能である。また、デマンド制御対象も季節と時間帯ごとに有し、現在の日時（日付と時刻）でデマンド制御対象を決定するが、外気環境（季節や時刻、外気温度など）に応じてデマンド制御対象も自動的に修正することが可能となり、さらに、その制御内容（例えば、設定値変更や間欠運転、完全停止など）も変えることが可能となる。
【００５７】
このように、季節及び時間帯ごとに制御対象及びその制御内容を変えることによって、最適なデマンド制御を行うことができる。例えば、閉店時間に消灯しているケース照明をデマンド制御によってＯＦＦ（消灯）しても効果はないため、閉店時間に制御対象として決定した電気機器２のみを制御する。また、スーパーマーケットなどの食品店舗では、外気温度が下がる冬期は全体電力量が少なくなるため（デマンド目標値も下げられるため）、夏期と同じ負荷の冷凍機をデマンド制御した場合、その冷凍機をＯＦＦ（停止）すると電力は大きく下がるが、再度ＯＮ（起動）すると、プルダウン時の電力使用により目標値オーバーが発生することがあり、電力が安定しない。ところが、前述のように季節及び時間帯ごとに別の電気機器２を制御対象とすることで、バランス良く使用電力を削減することができる。
【００５８】
以上説明したように、本発明の実施形態によれば、現在の季節及び時刻に応じて、複数の電気機器２による使用電力がデマンド目標値を超えないように、各電気機器２から制御対象の電気機器２を選択し、選択した制御対象の電気機器２に対する制御内容を決定する。これにより、現在の季節や時刻に応じて制御対象となる電気機器２及びその制御内容が適切に決定されるため、外気環境が変化してもその変化に対応することが可能となるので、外気環境に応じて確実に使用電力を削減することができる。
【００５９】
また、外気温度に応じて現在の季節を修正し、現在の時刻に加え、修正した現在の季節に応じて使用電力の目標値を決定することによって、外気温度に応じてデマンド目標値を決定することが可能になり、外気環境に応じてより確実に使用電力を削減することができる。さらに、前述の制御決定情報を用いて制御対象の電気機器２及びその制御内容を決定することによって、現在の季節や時刻に応じて制御対象の電気機器２及びその制御内容をより適切に決定することが可能になり、より確実に使用電力を削減することができる。また、操作者は必要に応じて前述の制御決定情報における制御対象の電気機器や制御内容を適切に変更することが可能であることから、利用者の利便性を向上させることができ、加えて、より確実に使用電力を削減することができる。
【００６０】
なお、本発明は、前述の実施形態に限るものではなく、その要旨を逸脱しない範囲において種々変更可能である。例えば、前述の実施形態に示される全構成要素から幾つかの構成要素を削除してもよい。さらに、異なる実施形態に亘る構成要素を適宜組み合わせてもよい。
【符号の説明】
【００６１】
１    食品店舗システム
２    電気機器
３    制御装置
３ａ  季節時間帯決定部
３ｂ  目標値決定部
３ｃ  季節修正部
３ｄ  制御決定部
３ｅ  制御実行部
３ｆ  入力部
３ｇ  外気温度センサ
【図１】
2014093848.tif 000003
【図２】
2014093848.tif 000004
【図３】
2014093848.tif 000005
【図４】
2014093848.tif 000006
【図５】
2014093848.tif 000007
【図６】
2014093848.tif 000008